(57)【要約】【課題】光ディスクを保護するとともに、レンズ保持部から脱落しないレンズプロテクタを備える。【解決手段】光ディスクの情報記録面にレーザ光を集光させる対物レンズ５と、この対物レンズを保持する鏡筒２と、この鏡筒を保持するレンズホルダ４とを備えた光ピックアップ装置１における鏡筒であって、光ディスク側端面よりも光ディスク寄りにレンズプロテクタ３が形成されており、上記レンズプロテクタが鏡筒の反光ディスク側から光ディスク側に向けて嵌合されている。【選択図】図１
2007305260.tif 000002
【特許請求の範囲】
【請求項１】
光ディスクの情報記録面にレーザ光を集光させる対物レンズと、前記対物レンズを保持する鏡筒と、前記鏡筒を保持するレンズホルダとを備えた光ピックアップ装置における前記鏡筒は、光ディスク側端面よりも光ディスク寄りにレンズプロテクタが形成されており、前記レンズプロテクタは、前記鏡筒の反光ディスク側から光ディスク側に向けて嵌合されていることを特徴とする光ピックアップ用鏡筒。
【請求項２】
前記レンズプロテクタは、前記対物レンズの光ディスク側端面よりも先端部が突出するように前記鏡筒に配置されていることを特徴とする請求項１記載の光ピックアップ用鏡筒。
【請求項３】
光ディスクの情報記録面にレーザ光を集光させる対物レンズと、前記対物レンズを保持する鏡筒と、前記鏡筒を保持するレンズホルダとを備えた光ピックアップ装置において、
前記鏡筒は、光ディスク側端面よりも光ディスク寄りにレンズプロテクタが形成されており、前記レンズプロテクタは、前記鏡筒の反光ディスク側から光ディスク側に向けて嵌合されていることを特徴とする光ピックアップ装置。
【請求項４】
前記レンズプロテクタは、前記対物レンズの光ディスク側端面よりも先端部が突出するように前記鏡筒に配置されていることを特徴とする請求項３記載の光ピックアップ装置。
【請求項５】
前記レンズプロテクタは、前記反光ディスク側の端部を前記レンズホルダによって抜け止めされていることを特徴とする請求項３または４記載の光ピックアップ装置。
【発明の詳細な説明】
【技術分野】
【０００１】
本発明は光ディスク用ピックアップ装置に用いられる光ピックアップ用鏡筒に関し、特にレンズプロテクタを備えた光ピックアップ用鏡筒に関する。
【背景技術】
【０００２】
ＣＤやＤＶＤ等の光ディスクが剥き出しのまま挿入される光ディスク記録再生装置の光ピックアップ装置は、光ディスクの情報記録面にレーザ光を焦点合わせする対物レンズが、光ディスクと２ｍｍ程度以下の狭い間隔で配置されている。この光ディスクと対物レンズの間隔は、Ｂｌｕ−ｒａｙ  ＤｉｓｃやＨＤ−ＤＶＤ等光ディスクの情報記録密度の増大に伴って、さらに狭くなっている。なお、対物レンズは、レーザ光のフォーカス調整とトラッキング調整のために、それぞれ光ディスク面と直交方向および光ディスクの半径方向に、レンズホルダとともに移動されるように構成されている。
このため、このような光ピックアップ装置では、読み込みエラーや振動、衝撃等により対物レンズと光ディスクとが衝突し、光ディスクの情報記録面や対物レンズに傷が付いたりすることがある。このような衝突を防止するために、対物レンズを保持する鏡筒またはレンズホルダに、対物レンズよりも光ディスク側へ突出する保護層を設けたものが知られている（特許文献１、２）。
【０００３】
従来の保護層（レンズプロテクタ）を備えた鏡筒は、光ディスクに近い側の端面に対物レンズの光ディスク側の面よりも光ディスク側に突出した保護層が形成されており、鏡筒端面にポリテトラフルオロエチレンテープを貼付けたり、樹脂を塗布したり、薄いリングを接着することで形成していた。従来の鏡筒を備える光ピックアップ装置の一例を図２に示す。図２（ａ）は光ディスク方向から見た概略平面図を、図２（ｂ）はＡ'−Ａ'拡大断面図の一例である。
従来の光ピックアップ装置では、鏡筒２'のレンズ取り付部に対物レンズ５が取り付けられ、この鏡筒２'の上面部位、すなわち光ディスク（図示省略）に対向する部位に直接レンズプロテクタ３'が接着剤によって固着されている。４はレンズホルダである。
しかしながら、従来の鏡筒では、レンズプロテクタ３'と光ディスクとの衝突によって、接着が剥がれてレンズプロテクタ３'が鏡筒２'から脱落することがあった。特に車載機では激しい振動により鏡筒２'から脱落することがあった。
レンズプロテクタが鏡筒から脱落すると、光ディスクと鏡筒または対物レンズが直接接触するようになるため対物レンズや光ディスクを傷つけたり、脱落したレンズプロテクタが装置内の可動部に咬み込んだりすると記録再生が不可能になったりする場合があるという問題がある。
また、樹脂を塗布する方法では、鏡筒の対物レンズが接着される部位に塗料がかかると対物レンズの接着不良が生じるため、マスキングをする必要があるが、レンズ径が３ｍｍ〜６ｍｍ程度と小さなレンズ穴を有する鏡筒にマスキングをすることは困難であった。
【特許文献１】特開２０００−９０４７３号公報
【特許文献２】特開２００６−１２０２４６号公報
【発明の開示】
【発明が解決しようとする課題】
【０００４】
本発明はこのような問題に対処するためになされたものであり、光ディスクを保護するとともに、鏡筒から脱落しないレンズプロテクタを備えた光ピックアップ用鏡筒とこの鏡筒を備えた光ピックアップ装置の提供を目的とする。
【課題を解決するための手段】
【０００５】
本発明の光ピックアップ用鏡筒は、光ディスクの情報記録面にレーザ光を集光させる対物レンズと、この対物レンズを保持する鏡筒と、この鏡筒を保持するレンズホルダとを備えた光ピックアップ装置における鏡筒であって、光ディスク側端面よりも光ディスク寄りにレンズプロテクタが形成されており、上記レンズプロテクタが鏡筒の反光ディスク側から光ディスク側に向けて嵌合されていることを特徴とする。
本発明の光ピックアップ装置は、光ディスクの情報記録面にレーザ光を集光させる対物レンズと、この対物レンズを保持する鏡筒と、この鏡筒を保持するレンズホルダとを備えた光ピックアップ装置において、上記鏡筒は、光ディスク側端面よりも光ディスク寄りにレンズプロテクタが形成されており、レンズプロテクタは、鏡筒の反光ディスク側から光ディスク側に向けて嵌合されていることを特徴とする。
上記レンズプロテクタは、対物レンズの光ディスク側端面よりも先端部が突出するように鏡筒に配置されていることを特徴とする。
また、上記光ピックアップ装置において、レンズプロテクタが反光ディスク側の端部をレンズホルダによって抜け止めされていることを特徴とする。
【発明の効果】
【０００６】
本発明の光ピックアップ用鏡筒および光ピックアップ装置は、レンズプロテクタが鏡筒の上面に直接設けられているのではなく、鏡筒の反光ディスク側から嵌合されているので、鏡筒の表面から脱落することがない。また、接着剤で固定できなかったフッ素樹脂からなるレンズプロテクタも容易に使用することが可能である。さらに、容易にレンズプロテクタを鏡筒に形成することができるため、製造工数が省略される。また、対物レンズの光ディスク側端面よりも先端部が突出しているので、対物レンズまたは鏡筒の上面が直接光ディスクと接触することがない。そのため、光ディスクを傷つけることがない。また、レンズプロテクタの反光ディスク側の端部をレンズホルダによって抜け止めされているので、光ディスクと衝突した場合に突出高さの変動がない。
【発明を実施するための最良の形態】
【０００７】
本発明の光ピックアップ用鏡筒は、設けられたレンズプロテクタにより対物レンズと光ディスク記録面とが接触したり衝突したりすることを防止する。
本発明の光ピックアップ用鏡筒を図１を参照して説明する。図１（ａ）は光ピックアップ装置の光ディスク方向から見た概略平面図であり、図１（ｂ）は図１（ａ）におけるＡ−Ａ断面図である。
図１に示すように、光ピックアップ装置１は、対物レンズ５を保持する鏡筒２と、対物レンズまたは鏡筒２の光ディスク（図示省略）側先端面よりも光ディスク寄りにレンズプロテクタ３が形成されている。４は駆動コイルを備えたレンズホルダである。
レンズプロテクタ３は、鏡筒２の反光ディスク側２ａから光ディスク側２ｂに向けて嵌合されている。
さらにレンズプロテクタ３は、対物レンズ５の光ディスク側端面２ｂよりも先端部３ａが突出するように鏡筒２に組み付けられる。
【０００８】
組み付け方法としては、レンズプロテクタ３が鏡筒２に固定される方法であればよい。
例えば、図１に示すように、円柱体の端面から３個の突起３ａが延びたレンズプロテクタ３を、鏡筒２の反光ディスク側２ａから突起３ａの先端部が対物レンズ面または鏡筒２の光ディスク側端面２ｂより突出するように嵌合挿入して組み付ける。この場合、レンズプロテクタ３は、鏡筒２に設けられた突き出し規制部２ｃによって脱落防止することができる。また、レンズプロテクタ３の反光ディスク側の端部をレンズホルダ４で押さえることで落下防止されている。さらに、レンズホルダ４と鏡筒２とを組み付けることにより、光ピックアップ装置１が得られる。
【０００９】
レンズプロテクタ３に設けられる突起３ａの形状は、突起３ａが鏡筒または対物レンズの光ディスク側端面より突出して、光ディスクの記録再生面がレンズプロテクタ３に接触しない突出高さを維持できる形状であれば、円柱状、角柱状であっても、鏡筒２の外周面を覆う半円状や円筒形であってもよい。突起３ａの先端部は平面であっても球面であってもよい。
また、レンズプロテクタ３と鏡筒２との組み付け方法は、圧入嵌合、接着剤による接着などの任意の方法を採用できる。
【００１０】
レンズプロテクタ３に使用可能な材料としては、光ディスクより軟質な材料が使用できる。例えばシリコーンゴム、ニトリルゴム、フッ素ゴム、アクリルゴム、エチレン−プロピレンゴム等の各種ゴムやエラストマー、あるいはポリテトラフルオロエチレン樹脂（ＰＴＦＥ）、テトラフルオロエチレン−パーフルオロアルキルビニルエーテル共重合体樹脂（ＰＦＡ）、テトラフルオロエチレン−ヘキサフルオロプロピレン共重合体樹脂（ＦＥＰ）、テトラフルオロエチレン−エチレン共重合体樹脂（ＥＴＦＥ）、ポリアセタール樹脂（ＰＯＭ）、ナイロン樹脂等の合成樹脂を例示できる。
しかし、ゴム類は対傷付き特性には優れているものの、光ディスクと接触した際に摩擦抵抗によりブレーキとなる恐れがあるため、摩擦特性の優れた合成樹脂が好適である。
【００１１】
レンズ保持部２に使用できる材料としては、成形性が優れ、接着剤を介して対物レンズと接着可能な合成樹脂であれば使用可能であり、汎用プラスチック、エンジニアリングプラスチックの何れでも使用できる。例えば、アクリロニトリルブタジエンスチレン樹脂（ＡＢＳ）、ポリカーボネート樹脂（ＰＣ）、ポリエチレン樹脂（ＰＥ）、ポリエチレンテレフタレート樹脂（ＰＥＴ）、ポリブチレンテレフタレート樹脂（ＰＢＴ）、ポリフェニレンサルファイド樹脂、液晶ポリマー（ＬＣＰ）等を例示できる。
上記樹脂は単独でも、あるいは混合樹脂でも使用できる。
【００１２】
本発明の光ピックアップ用鏡筒および光ピックアップ装置は、近年の光ディスクの大容量、高密度化に伴って、対物レンズ５と光ディスクの記録面との間隔が狭くなっているＤＶＤやＢｌｕ−ｒａｙ  Ｄｉｓｃ、ＨＤ−ＤＶＤ等に好適に使用できる。本発明の光ピックアップ用鏡筒および光ピックアップ装置を使用することにより、光ディスク表面とレンズプロテクタとが接触した場合においても、対物レンズや光ディスク記録面の傷付きを防止できるとともに、レンズプロテクタの脱落を完全に防ぐことができ、安定した記録再生ができる光ピックアップ装置が得られる。
【産業上の利用可能性】
【００１３】
本発明の光ピックアップ用鏡筒および光ピックアップ装置は、鏡筒の反光ディスク側から光ディスク側の表面に向けて突出させたレンズプロテクタを有しているので、鏡筒からレンズプロテクタが脱落することがない。そのため、ＣＤ、ＭＤ、ＤＶＤ、Ｂｌｕ−ｒａｙ  Ｄｉｓｃ等の光記録媒体の記録再生装置に適用できる。特に外部からの衝撃や振動によって対物レンズと光ディスクが衝突する危険性の高いノートパソコン向けや車載機向けのこれら記録再生装置に好適に適用できる。
【図面の簡単な説明】
【００１４】
【図１】本発明の光ピックアップ装置を示す図である。
【図２】従来の光ピックアップ装置を示す図である。
【符号の説明】
【００１５】
１  光ピックアップ装置
２  鏡筒
３  レンズプロテクタ
４  レンズホルダ
５  対物レンズ
【図１】
2007305260.tif 000003
【図２】
2007305260.tif 000004